(57)【要約】【課題】移動レール体を設置していない旧来の店内でも、遊技機を効率良く搬送することができる遊技機搬送装置を提供する。【解決手段】遊技機Ｑを遊技機用の各島Ｐに着脱するために搬送する遊技機搬送装置を設ける。遊技機Ｑを運搬する台車１０上に、島Ｐの遊技機Ｑの高さ位置まで昇降自在な架台１１を設ける。該架台１１に立設した支柱１４と、該支柱１４に水平方向に回転自在に装着された回転移動用アーム１３とを設ける。台車１０から島Ｐに架設支持して台車１０を固定する転倒防止杆１２を設ける。回転移動用アーム１３の先端に、遊技機Ｑに装着して該遊技機Ｑを吊り上げるクランプ装置２０を設ける。台車１０と島Ｐとを転倒防止杆１２で固定しながら、クランプ装置２０で吊り上げた遊技機Ｑを、回転移動用アーム１３で架台１１上に搬送するように構成する。【選択図】  図１
0003157269.tif 000002
【実用新案登録請求の範囲】
【請求項１】
遊技機を遊技機用の各島に着脱するために搬送する遊技機搬送装置であって、遊技機を運搬する台車上に、島の遊技機の高さ位置まで昇降自在な架台と、該架台に立設した支柱と、該支柱に水平方向に回転自在に装着された回転移動用アームと、台車から島に架設支持して台車を固定する転倒防止杆と、を備え、該回転移動用アームの先端に、遊技機に装着して該遊技機を吊り上げるクランプ装置を設け、台車と島とを転倒防止杆で固定しながら、クランプ装置で吊り上げた遊技機を、回転移動用アームで架台上に搬送するように構成したことを特徴とする遊技機搬送装置。
【請求項２】
前記転倒防止杆は、前記架台から前記島の前面に設けられているテーブル上に架設するように揺動自在に設けられた請求項１記載の遊技機搬送装置。
【請求項３】
前記クランプ装置は、遊技機の上部左右側面を挟着固定するクランプ体と、該クランプ体の開閉動作に連動し、固定された遊技機を僅かに持ち上げた状態で固定するクランプレバーとを備えた請求項１記載の遊技機搬送装置。
【請求項４】
前記島の前面に、抜き出した遊技機を仮置きする仮置き台を設置し、該仮置き台に仮置きした遊技機を前記クランプ装置にて吊持するように設けた請求項１記載の遊技機搬送装置。
【請求項５】
前記仮置き台は、前記島の前面に設けられているテーブル上に略水平に載置する板状の仮置き台とし、テーブルに固定する万力形状の固定具を該仮置き台に設けたパチンコ機載置用とする請求項４記載の遊技機搬送装置。
【請求項６】
前記仮置き台は、前記島の前面に設けられているテーブルの高さまで高さ調整自在な架台で形成され、スロット機載置用の仮置き台とする請求項４記載の遊技機搬送装置。
【考案の詳細な説明】
【技術分野】
【０００１】
本考案は、パチンコ台又はスロットマシーン等の新旧の遊技機を交換するのに好適な遊技機搬送装置に関する。
【背景技術】
【０００２】
パチンコ台やスロットマシーン等の遊技機用の島に遊技機を装着するには、島の開口部に遊技機を直接装着する工事が行われている。たとえばパチンコ島への取付け作業の場合、先ず、パチンコ島の取付け開口部に遊技機の取付け枠を釘等で固定する。次に、この取付け枠に遊技機を取り付ける作業になっている。また、古くなった遊技機を入れ替える場合は、取付け枠から遊技機を取り外し、次に取付け枠を新しい遊技機の取付け枠に交換した後、この取付け枠に新しい遊技機を装着する作業になる。したがって、遊技機Ｑの交換は、基本的に大工仕事になっている。
【０００３】
本考案者は、先に、特許文献１に示すパチンコ台取付装置を提案している。この取付装置では、パチンコ台に装着する台装着枠体に改良を加えることで、パチンコ台の着脱が極めて容易になり、しかも、台装着枠体を調整することで、熟練した技術を要せずともパチンコ台の装着角度を合理的、且つ効果的に調整することができるようにしたものである。
【０００４】
更に、本考案者は、特許文献２に示す遊技機交換システムを提案している。このシステムは、島Ｐの上部長手方向に沿って配設されたレール体や、該移動レール体に懸吊され遊技機を着脱自在に吊持するクランプ装置を備えるもので、従業員一人でも簡単に遊技機を運搬し、交換することができるようにしたものである。
【先行技術文献】
【特許文献】
【０００５】
【特許文献１】特許第３２７５１６２号公報
【特許文献２】特開２００８−３６２５１号公報
【考案の概要】
【考案が解決しようとする課題】
【０００６】
パチンコ台やスロットマシーン等の遊技機用の島に、遊技機を直接装着する従来の工事では、装着作業自体が大工仕事になるので、工事要員は大工の技術を有するものに限られており、一般の従業員が遊技機を装着できるものではなかった。しかも、パチンコ機は一台約25Kg程度、スロット台で約40Kg程度の重量があるので、これらの遊技機を運搬し、各島に着脱する作業を手伝うための人員も必要になるなど、極めて多くの人員や手間を要するものである。
【０００７】
当考案者が、先に発明した特許文献１のパチンコ台取付装置により、島の開口部に遊技機を着脱する作業を簡略化して、大工職人でなくても遊技機を簡単に装着できるようになった。ところが、島の開口部まで遊技機を運搬したり、古くなった遊技機を島の開口部から外して搬出したりする作業には、いまだ多くの手間を要するものになっていた。
【０００８】
そこで、当考案者は特許文献２の遊技機交換システムを発明し、島Ｐの上部長手方向に沿ってレール体を配設し、該移動レール体に懸吊され遊技機を着脱自在に吊持するクランプ装置を備えることで、各種遊技機を効率良く搬送することに成功している。ところが、このシステムでは、店内に移動レール体を設置する必要があり、この移動レール体の設置がない旧来の店では手作業に頼るしかなかった。
【０００９】
しかも、この種の遊技店は、多数の遊技機ごとに椅子が設置されているので、もともと店内の搬送スペースに限りがある。そのため、比較的小さな台車であれば椅子の間を移動することは可能でも、数10Kgの遊技機を吊り上げるクレーンの足場を、この椅子が連立している店内で確保することは極めて困難であった。
【００１０】
そこで本考案は、上述の課題を解消すべく創出されたもので、移動レール体を設置していない旧来の店内でも、遊技機を効率良く搬送することができる遊技機搬送装置の提供を目的とするものである。
【課題を解決するための手段】
【００１１】
上述の目的を達成すべく本考案における第１の手段は、遊技機Ｑを遊技機用の各島Ｐに着脱するために搬送する遊技機搬送装置であって、遊技機Ｑを運搬する台車１０上に、島Ｐの遊技機Ｑの高さ位置まで昇降自在な架台１１と、該架台１１に立設した支柱１４と、該支柱１４に水平方向に回転自在に装着された回転移動用アーム１３と、台車１０から島Ｐに架設支持して台車１０を固定する転倒防止杆１２と、を備え、該回転移動用アーム１３の先端に、遊技機Ｑに装着して該遊技機Ｑを吊り上げるクランプ装置２０を設け、台車１０と島Ｐとを転倒防止杆１２で固定しながら、クランプ装置２０で吊り上げた遊技機Ｑを、回転移動用アーム１３で架台１１上に搬送するように構成したことにある。
【００１２】
第２の手段の前記転倒防止杆１２は、前記架台１１から前記島Ｐの前面に設けられているテーブルＰ１上に架設するように揺動自在に設けられたものである。
【００１３】
第３の手段の前記クランプ装置２０は、遊技機Ｑの上部左右側面を挟着固定するクランプ体２１と、該クランプ体２１の開閉動作に連動し、固定された遊技機Ｑを僅かに持ち上げた状態で固定するクランプレバー２２とを備えたものである。
【００１４】
第４の手段は、前記島Ｐの前面に、抜き出した遊技機Ｑを仮置きする仮置き台３０を設置し、該仮置き台３０に仮置きした遊技機Ｑを前記クランプ装置２０にて吊持するように設けている。
【００１５】
第５の手段の前記仮置き台３０は、前記島Ｐの前面に設けられているテーブルＰ１上に略水平に載置する板状の仮置き台３０とし、テーブルＰ１に固定する万力形状の固定具３１を該仮置き台３０に設けたパチンコ機載置用とするものである。
【００１６】
第６の手段の前記仮置き台３０は、前記島Ｐの前面に設けられているテーブルＰ１の高さまで高さ調整自在な架台で形成され、スロット機載置用の仮置き台３０とすることを課題解消のための手段とする。
【考案の効果】
【００１７】
本考案の請求項１により、台車１０と島Ｐとを転倒防止杆１２で固定しながら、クランプ装置２０で吊り上げた遊技機Ｑを、回転移動用アーム１３で架台１１上に搬送するように構成したことにより、移動レール体を設置していない旧来の店内でも、遊技機を効率良く搬送することができる。
【００１８】
請求項２の如く、転倒防止杆１２は、前記架台１１から前記島Ｐの前面に設けられているテーブルＰ１上に揺動自在に架設するように設けられているので、狭い店内でも、台車１０を簡単に固定することができる。この結果、多数の遊技機Ｑを効率良く搬送することが可能になった。
【００１９】
請求項３により、遊技機Ｑの上部左右側面を挟着固定するクランプ体２１と、該クランプ体２１の開閉動作に連動し、固定された遊技機Ｑを僅かに持ち上げた状態で固定するクランプレバー２２とを備えているので、このクランプ体２１の操作ひとつで、遊技機Ｑの着脱操作と上下操作とを同時に行うことができる。
【００２０】
請求項４、５、６により、島Ｐから取り外した遊技機Ｑを仮置き台３０に仮置くことで、その後の搬送作業を容易にすることができる。しかも、パチンコ機、スロット機に応じた仮置き台３０を構成しているので、より安全な使用が可能になっている。
【図面の簡単な説明】
【００２１】
【図１】本考案搬送装置の一実施例の使用例を示す概略斜視図である。
【図２】既存の島から外した遊技機を吊り上げる状態を示す概略側面図である。
【図３】吊り上げた遊技機を架台上に搬送した状態を示す概略側面図である。
【図４】本考案仮置き台の一実施例を示す概略側面図である。
【図５】本考案仮置き台の他の実施例を示す概略側面図である。
【考案を実施するための形態】
【００２２】
本考案によると、移動レール体を設置していない旧来の店内でも、遊技機を効率良く搬送することができるなどといった当初の目的を達成するものである。
【実施例】
【００２３】
以下、本考案の一実施例を説明する。本考案交換システムの基本構成は、台車１０、クランプ装置２０、仮置き台３０からなる。
【００２４】
台車１０は遊技機Ｑを載せて運搬するもので、店内の通路を通過できるサイズのものを使用する。この台車１０には、ストッパー付きのキャスター１０Ａと、手押し用のハンドル１０Ｂが備えられている。そして、この台車１０上に、架台１１と転倒防止杆１２と回転移動用アーム１３と支柱１４とを設置する（図１参照）。
【００２５】
架台１１は、島Ｐの遊技機Ｑの高さ位置まで昇降自在に設けたもので、島Ｐから台車１０へ遊技機Ｑを移動する際は、この架台１１の高さを島Ｐの遊技機Ｑの高さ位置になるように調整するものである（図２参照）。図示例の昇降手段は、フットペダル１５Ａを踏み込む操作で昇降するパンタグラフ状の昇降機構１５を示している（図１参照）。この昇降手段はこの他、油圧シリンダーやエアシリンダーなどに変更することも可能である。
【００２６】
転倒防止杆１２は、台車１０から島Ｐに架設支持して台車１０を固定する部材である（図２参照）。図示例の転倒防止杆１２は、架台１１から前記島Ｐの前面に設けられているテーブルＰ１上に架設するように揺動自在に設けられたものである。すなわち、台車１０移動時の転倒防止杆１２は、架台１１から鉛直上方に向けて固定してある。そして、台車１０を固定する場合は、この転倒防止杆１２を略水平に揺動させ、島ＰのテーブルＰ１上に載置下状態で転倒防止杆１２と架台１１とを固定する。そうすると、架台１１上の回転移動用アーム１３がクランプ装置２０を介して遊技機Ｑを吊り上げる際に、台車１０が島Ｐ方向に傾くのを防止することができるものである。
【００２７】
転倒防止杆１２と架台１１との固定手段として、図示例では、転倒防止杆１２の側面に回転自在な係止フック１２Ａを装着し、転倒防止杆１２使用時に架台１１の下面に係止フック１２Ａを係止するものである（図２参照）。一方、不使用時の転倒防止杆１２は、後述する支柱１４を補助する補助杆１４Ａに係止フック１２Ａを係止して転倒防止杆１２の立設状態を保つものである。尤も、この固定手段は他の構成に変更可能であり、転倒防止杆１２を任意の位置で固定できるものであればどのような固定手段であっても良い。
【００２８】
回転移動用アーム１３は、架台１１に立設した支柱１４に水平方向に回転自在に装着された部材で、クランプ装置２０によって吊り上げた遊技機Ｑを架台１１上に移動させるものである（図２、図３参照）。図示の回転移動用アーム１３は、支柱１４の上部に水平揺動自在に連結している。この際、支柱１４の支持強度を高めるために、支柱１４の長手方向に沿った補助杆１４Ａを設置している（図１参照）。
【００２９】
クランプ装置２０は、回転移動用アーム１３の先端に懸吊され、交換する遊技機Ｑを着脱自在に吊持する装置である（図２参照）。図示のクランプ装置２０は、回転移動用アーム１３の先端から回転移動用アーム１３に沿って移動するスライド装置１６に懸吊している。更に、このクランプ装置２０には、クランプ体２１とクランプレバー２２とが備えられている。
【００３０】
クランプ体２１は、遊技機Ｑの上部左右側面を挟着固定する部材で、図示例では、クロスした一対のアーム２１Ａと、該アーム２１Ａに位置調整自在に設けられた左右一対の爪２１Ｂとを有し、この爪２１Ｂを開閉させて遊技機Ｑを装着した台装着枠体Ｒの側面を固定するものである（図３参照）。
【００３１】
クランプレバー２２は、クランプ体２１を上下に移動させるもので、爪２１Ｂの開閉に連動する（図２参照）。そして、クランプレバー２２を上げた状態のときに、固定された遊技機Ｑが僅かに持ち上げられた状態になるように設定している。
【００３２】
このように、台車１０と島Ｐとを転倒防止杆１２で固定しながら、クランプ装置２０で吊り上げた遊技機Ｑを、回転移動用アーム１３で架台１１上に搬送するように構成している（図３参照）。
【００３３】
遊技機Ｑがパチンコ機の場合、この遊技機Ｑを島Ｐの外に搬出するには、先ず、島ＰのテーブルＰ１に仮置き台３０を固定する（図４参照）。図示の仮置き台３０は、テーブルＰ１上に略水平に載置する側面略コ字状の板状を成し、テーブルＰ１の下から固定する万力形状の固定具３１を設けてあり、この固定具３１にて仮置き台３０を固定している。
【００３４】
一方、遊技機Ｑがスロット機の場合、島Ｐの前面に設けられているテーブルＰ１の高さまで高さ調整自在な架台で形成されている（図５参照）。図示の仮置き台３０は、４本の脚３２の下端部に高さ調節ネジで構成された高さ調整具３３を備えた架台を示している。
【００３５】
このように、島Ｐの前面に、抜き出した遊技機Ｑを仮置きする仮置き台３０を設置し、この仮置き台３０に遊技機Ｑを仮置きするもので、この状態からクランプ装置２０にて遊技機Ｑを吊持する（図２参照）。
【００３６】
更に、クランプ装置２０に遊技機Ｑを吊持した状態で、回転移動用アーム１３を水平方向に回転させてクランプ装置２０ごと遊技機Ｑを架台１１の上まで搬出する（図３参照）。そして、遊技機Ｑを吊持したまま、スライド装置１６で遊技機Ｑの位置決めをした後（図１参照）、この状態でクランプレバー２２を下げ、クランプ装置２０を解除すると架台１１上に遊技機Ｑが載置される（図３参照）。この後、台車１０を移動して新しい遊技機Ｑと交換する。新しい遊技機Ｑを装着する手順はこの逆手順となる。
【産業上の利用可能性】
【００３７】
尚、本考案は、図示例に限定されるものではなく、たとえば、台車１０、架台１１、転倒防止杆１２、回転移動用アーム１３、支柱１４、クランプ装置２０などの設計変更は勿論、形状やサイズの変更など、本考案の要旨を変更しない範囲において自由に変更できるものである。
【符号の説明】
【００３８】
Ｐ  島
Ｐ１  テーブル
Ｑ  遊技機
１０  台車
１０Ａ  キャスター
１０Ｂ  ハンドル
１１  架台
１２  転倒防止杆
１２Ａ  係止フック
１３  回転移動用アーム
１４  支柱
１４Ａ  補助杆
１５  昇降機構
１５Ａ  フットペダル
１６  スライド装置
２０  クランプ装置
２１  クランプ体
２１Ａ  アーム
２１Ｂ  爪
２２  クランプレバー
３０  仮置き台
３１  固定具
３２  脚
３３  高さ調整具
【図１】
0003157269.tif 000003
【図２】
0003157269.tif 000004
【図３】
0003157269.tif 000005
【図４】
0003157269.tif 000006
【図５】
0003157269.tif 000007